【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
外部機器との間でデータの送受信を行う送受信手段と、
自端末に割当てられた識別情報を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器に移動させるコンテンツ移動手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項２】
外部機器との間でデータの送受信を行う送受信手段と、
自端末に割当てられた通信に利用する識別情報を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器に移動させるコンテンツ移動手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項３】
外部機器との間でデータの送受信を行う送受信手段と、
自端末に割当てられた電話番号を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器に移動させるコンテンツ移動手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている電話番号とを用いて暗号化鍵を生成し、前記送受信手段は、この生成された暗号化鍵を、前記鍵生成要求を送信した外部機器に対して送信すること
を特徴とする情報端末装置。
【請求項４】
外部機器との間でデータの送受信を行う送受信手段と、
自端末に割当てられた識別情報を記憶する記憶手段と、
コンテンツをダウンロードする際の時刻情報を取得する時刻情報取得手段と、
ダウンロードしたコンテンツと、このコンテンツをダウンロードする際に前記時刻情報取得手段で取得された時刻情報とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項５】
外部機器との間でデータの送受信を行う送受信手段と、
自端末に割当てられた通信に利用する識別情報を記憶する記憶手段と、
コンテンツをダウンロードする際の時刻情報を取得する時刻情報取得手段と、
ダウンロードしたコンテンツと、このコンテンツをダウンロードする際に前記時刻情報取得手段で取得された時刻情報とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項６】
外部機器との間でデータの送受信を行う送受信手段と、
自端末に割当てられた電話番号を記憶する記憶手段と、
コンテンツをダウンロードする際の時刻情報を取得する時刻情報取得手段と、
ダウンロードしたコンテンツと、このコンテンツをダウンロードする際に前記時刻情報取得手段で取得された時刻情報とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている電話番号とを用いて暗号化鍵を生成し、前記送受信手段は、この生成された暗号化鍵を、前記鍵生成要求を送信した外部機器に対して送信すること
を特徴とする情報端末装置。
【請求項７】
外部機器との間でデータの送受信を行う送受信手段と、
自端末に割当てられた識別情報を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項８】
外部機器との間でデータの送受信を行う送受信手段と、
自端末に割当てられた通信に利用する識別情報を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された識別情報と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信すること
を特徴とする情報端末装置。
【請求項９】
外部機器との間でデータの送受信を行う送受信手段と、
自端末に割当てられた電話番号を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、
前記送受信手段を介して外部機器から鍵生成情報を含む鍵生成要求を受信すると、前記鍵生成手段は、この鍵生成要求に含まれる鍵生成情報と前記記憶手段に記憶されている電話番号とを用いて暗号化鍵を生成し、前記送受信手段は、この生成された暗号化鍵を、前記鍵生成要求を送信した外部機器に対して送信すること
を特徴とする情報端末装置。
【請求項１０】
外部機器との間でデータの送受信を行う送受信手段と、
自端末に割当てられた電話番号を記憶する記憶手段と、
コンテンツをダウンロードする際の時刻情報を取得する時刻情報取得手段と、
ダウンロードしたコンテンツと、このコンテンツをダウンロードする際に前記時刻情報取得手段で取得された時刻情報とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器に移動させるコンテンツ移動手段と
を備えることを特徴とする情報端末装置。
【請求項１１】
外部機器との間でデータの送受信を行う送受信手段と、
自端末に割当てられた電話番号を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器に移動させるコンテンツ移動手段と
を備えることを特徴とする情報端末装置。
【請求項１２】
外部機器との間でデータの送受信を行う送受信手段と、
自端末に割当てられた電話番号を記憶する記憶手段と、
コンテンツをダウンロードする際の時刻情報を取得する時刻情報取得手段と、
ダウンロードしたコンテンツと、このコンテンツをダウンロードする際に前記時刻情報取得手段で取得された時刻情報とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段と
を備えることを特徴とする情報端末装置。
【請求項１３】
外部機器との間でデータの送受信を行う送受信手段と、
自端末に割当てられた電話番号を記憶する記憶手段と、
乱数を発生させる乱数発生手段と、
ダウンロードしたコンテンツと、コンテンツをダウンロードする際に前記乱数発生手段で発生させた乱数とを対応付けるコンテンツ管理手段と、
前記ダウンロードしたコンテンツを暗号化する暗号化手段と、
前記記憶手段に記憶された電話番号と、前記ダウンロードしたコンテンツに対応付けられた乱数を含む鍵生成情報を用い、前記ダウンロードしたコンテンツを暗号化する処理で利用される暗号化鍵を生成する鍵生成手段と、
前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段と
を備えることを特徴とする情報端末装置。
【請求項１４】
認証手段を更に備え、この認証手段は、前記送受信手段が前記外部機器から受信した鍵生成要求に基づいて生成された前記暗号化鍵を前記外部機器へ送信する前に、この外部機器との間で認証処理を実行することを特徴とする請求項１から請求項９のいずれか１つに記載の情報端末装置。
【手続補正２】
【補正対象書類名】明細書
【補正対象項目名】発明の名称
【補正方法】変更
【補正の内容】
【発明の名称】情報端末装置
【手続補正３】
【補正対象書類名】明細書
【補正対象項目名】００１０
【補正方法】変更
【補正の内容】
【００１０】
この発明は上記事情を考慮してなされたもので、その目的は、パーソナルコンピュータに移動またはバックアップしたコンテンツを、このパーソナルコンピュータで再生可能とし、かつ著作権上の管理を適正に行えるようにした情報端末装置を提供することである。
【手続補正４】
【補正対象書類名】明細書
【補正対象項目名】００１１
【補正方法】変更
【補正の内容】
【００１１】
上記目的を達成するために、この発明に係わる情報端末装置では、外部機器との間でデータの送受信を行う送受信手段と、自端末に割当てられた電話番号などの識別情報を記憶する記憶手段と、乱数を発生させる乱数発生手段と、ダウンロードしたコンテンツと、コンテンツをダウンロードする際に前記乱数発生手段で発生させた乱数とを対応付けるコンテンツ管理手段と、前記ダウンロードしたコンテンツを暗号化する暗号化手段と、前記記憶手段に記憶された識別情報と、前記ダウンロードしたコンテンツに対応付けられた乱数を含む鍵生成情報を用い、前記ダウンロードしたコンテンツを暗号化する処理で利用される暗号化鍵を生成する鍵生成手段と、前記暗号化手段で暗号化された暗号化コンテンツと、コンテンツを暗号化する処理で利用された暗号化鍵の生成に利用された前記鍵生成情報とを対応付け、前記送受信手段を介して外部機器に移動（又はコピー）させるコンテンツ移動手段（又はコンテンツバックアップ手段）とを有し、前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信することを特徴とする。
【手続補正５】
【補正対象書類名】明細書
【補正対象項目名】００１２
【補正方法】変更
【補正の内容】
【００１２】
また、他の発明に係わる情報端末装置では、外部機器との間でデータの送受信を行う送受信手段と、自端末に割当てられた電話番号などの識別情報を記憶する記憶手段と、コンテンツをダウンロードする際の時刻情報を取得する時刻情報取得手段と、ダウンロードしたコンテンツと、このコンテンツをダウンロードする際に前記時刻情報取得手段で取得された時刻情報とを対応付けるコンテンツ管理手段と、前記ダウンロードしたコンテンツを暗号化する暗号化手段と、前記記憶手段に記憶された識別情報と、前記ダウンロードしたコンテンツに対応付けられた時刻情報を含む鍵生成情報を用い、前記ダウンロードしたコンテンツを暗号化する処理で利用される暗号化鍵を生成する鍵生成手段と、前記暗号化手段で暗号化された暗号化コンテンツと、コンテンツを暗号化する処理で利用された暗号化鍵の生成に利用された前記鍵生成情報とを対応付け、前記送受信手段を介して外部機器にコピーするコンテンツバックアップ手段とを有し、前記送受信手段を介して外部機器から鍵生成情報を含む鍵生成要求を受信すると、前記鍵生成手段は、この鍵生成要求に含まれる鍵生成情報と前記記憶手段に記憶されている識別情報とを用いて暗号化鍵を生成し、前記送受信手段は、この生成された暗号化鍵を、前記鍵生成要求を送信した外部機器に対して送信することを特徴とする。